(57)【特許請求の範囲】
【請求項１】
手動で変速段が選択可能とされた駆動力伝達系を備えるとともに車輪からの回転力を受ける被駆動時に発電する発電機を備えたハイブリッド車両に適用され、前記発電機は駆動軸に駆動力を出力可能な発電電動機であり、この発電電動機の力行時に、上記変速段の変更を運転者に促す変速指示装置であって、
上記車輪からの回転力を受ける上記発電機の発電時、上記変速段の変更を上記運転者に促す動作を非実行とする構成とされたものにおいて、仮に上記運転者に変速段の変更が促され、それに従って変速段を変更した場合における、変更の前後における駆動力の変化量が所定量以下である場合には、上記変速段の変更を上記運転者に促す動作の非実行を解除する構成とされていることを特徴とする変速指示装置。
【請求項２】
請求項１記載の変速指示装置において、
変速段の変更の前後における駆動力の変化量が所定量以下である場合とは、変速段の変更の前後における駆動力の変化量が「０」である場合であることを特徴とする変速指示装置。
【請求項３】
請求項１記載の変速指示装置において、
変速段の変更の前後における駆動力の変化量が所定量以下である場合とは、変速段の変更の前の駆動力が、変速段の変更の後の駆動力に対して所定のマージンを加算した値よりも小さい場合であることを特徴とする変速指示装置。
【請求項４】
手動で変速段が選択可能とされた駆動力伝達系を備えるとともに車輪からの回転力を受ける被駆動時に発電する発電機を備えたハイブリッド車両に適用され、前記発電機は駆動軸に駆動力を出力可能な発電電動機であり、この発電電動機の力行時に、上記変速段の変更を運転者に促す変速指示装置であって、
上記車輪からの回転力を受ける上記発電機の発電時、上記変速段の変更を上記運転者に促す動作を非実行とする構成とされたものにおいて、車速および変速段に基づいて求められるトルク領域が正トルク領域である場合には、上記変速段の変更を上記運転者に促す動作の非実行を解除する構成とされていることを特徴とする変速指示装置。
【請求項５】
手動で変速段が選択可能とされた駆動力伝達系を備えるとともに車輪からの回転力を受ける被駆動時に発電する発電機を備えたハイブリッド車両に適用され、前記発電機は駆動軸に駆動力を出力可能な発電電動機であり、この発電電動機の力行時に、上記変速段の変更を運転者に促す変速指示装置であって、
上記車輪からの回転力を受ける上記発電機の発電時、上記変速段の変更を上記運転者に促す動作を非実行とする構成とされたものにおいて、アクセルオフされたことにともなうエンジンブレーキによる負トルクよりもエンジンのクリープトルクが大きくなる車速である場合には、上記変速段の変更を上記運転者に促す動作の非実行を解除する構成とされていることを特徴とする変速指示装置。
【請求項６】
手動で変速段が選択可能とされた駆動力伝達系を備えるとともに車輪からの回転力を受ける被駆動時に発電する発電機を備えたハイブリッド車両に適用され、前記発電機は駆動軸に駆動力を出力可能な発電電動機であり、この発電電動機の力行時に、上記変速段の変更を運転者に促す変速指示装置であって、
上記車輪からの回転力を受ける上記発電機の発電時、上記変速段の変更を上記運転者に促す動作を非実行とする構成とされたものにおいて、車輪に制動力を付与する操作を運転者が行っている場合には、上記変速段の変更を上記運転者に促す動作の非実行を解除するよう構成されていることを特徴とする変速指示装置。
【請求項７】
手動で変速段が選択可能とされた駆動力伝達系を備えるとともに車輪からの回転力を受ける被駆動時に発電する発電機を備えたハイブリッド車両に適用され、前記発電機は駆動軸に駆動力を出力可能な発電電動機であり、この発電電動機の力行時に、上記変速段の変更を運転者に促す変速指示装置であって、
上記車輪からの回転力を受ける上記発電機の発電時、上記変速段の変更を上記運転者に促す動作を非実行とする構成とされたものにおいて、車速に応じて、上記変速段が変更された場合の駆動力の変化量が予め記憶されており、現在の車速が、上記変速段の変更時の駆動力の変化量が所定量以上となる車速である場合に、上記変速段の変更を上記運転者に促す動作を非実行とする構成とされていることを特徴とする変速指示装置。
【請求項８】
手動で変速段が選択可能とされた駆動力伝達系を備えるとともに車輪からの回転力を受ける被駆動時に発電する発電機を備えたハイブリッド車両に適用され、前記発電機は駆動軸に駆動力を出力可能な発電電動機であり、この発電電動機の力行時に、上記変速段の変更を運転者に促す変速指示装置であって、
上記車輪からの回転力を受ける上記発電機の発電時、上記変速段の変更を上記運転者に促す動作を非実行とする構成とされたものにおいて、各変速段相互間での変更が行われた場合の駆動力の変化量が予め記憶されており、現在選択されている変速段に対して駆動力の変化量が所定値以上となる変速段への変更を上記運転者に促す動作を非実行とする構成とされていることを特徴とする変速指示装置。
【請求項９】
請求項１〜８のうち何れか一つに記載の変速指示装置において、
上記駆動力伝達系には、変速比を無段階に切り換え可能とする無段変速機構が備えられており、手動変速モードでは、上記無段変速機構で設定される変速比が複数段階に切り換えられる構成とされたハイブリッド車両に搭載されていることを特徴とする変速指示装置。
【請求項１０】
請求項９記載の変速指示装置において、
上記ハイブリッド車両は、走行用の駆動力源として内燃機関を備えており、
上記駆動力伝達系には、上記内燃機関の出力軸が連結されるプラネタリキャリアと、第１の電動機が連結されるサンギヤと、第２の電動機が連結されるリングギヤとを備えた遊星歯車機構により構成される動力分割機構が備えられており、
上記第１の電動機の回転速度を制御することによって内燃機関の回転速度を変更することで駆動力伝達系における変速比が変更可能となっているとともに、被駆動時に上記第２の電動機が上記発電機として機能する構成とされたハイブリッド車両に搭載されていることを特徴とする変速指示装置。
【発明の詳細な説明】
【技術分野】
【０００１】
本発明は、車両の運転者（ドライバ）に対して変速指示を行う変速指示装置に係る。特に、本発明は、ドライバビリティの改善を図るための対策に関する。
【背景技術】
【０００２】
従来より、例えば下記の特許文献１に開示されているように、手動変速機（マニュアルトランスミッション）を搭載した車両において、走行中のエンジン負荷や車速などから求まる適正な変速段（例えば燃料消費率を改善できる変速段）に対し、それとは異なる変速段が選択されている場合に、適正な変速段に向けての変速操作を行うべきことをドライバに指示する変速指示装置（一般に、ギヤシフトインジケータ（ＧＳＩ）と呼ばれている）が知られている。【０００３】
この種の変速指示装置は、一般的な手動変速機を搭載した車両に限らず、下記の特許文献２および特許文献３に開示されているようなシーケンシャルシフトモードを有する電気式無段変速機構を備えたハイブリッド車両等にも適用が可能である。【０００４】
このハイブリッド車両は、エンジンと、このエンジンの出力により発電された電力やバッテリ（蓄電装置）に蓄えられた電力により駆動する電動機（例えば、モータジェネレータまたはモータ）とを備え、それらエンジンおよび電動機のいずれか一方または双方を駆動力源として走行することが可能である。また、車両の減速時には電動機が発電機として機能し、その発電（回生発電）した電力をバッテリに充電するようになっている。【０００５】
そして、この種のハイブリッド車両に上記変速指示装置を適用した場合、ドライバによるシフトレバーの操作によってシーケンシャルシフトモードに設定されて変速操作が行われると、例えば上記第１電動機の回転速度を制御し、その操作変速段での変速比（変速機出力軸回転速度に対するエンジン回転速度の比である変速比）を実現するべく目標エンジン回転速度が調整される。【０００６】
また、特許文献２には、上記変速指示装置を搭載した車両において、減速時に、惰性回生電力が最大となる（回生効率が最大となる）変速段を推奨変速段としてドライバにガイダンス（変速段の変更の指示）を行うことが開示されている。
【先行技術文献】
【特許文献】
【０００７】
【特許文献１】特開２００４−６０５４８号公報
【特許文献２】特開２０１０−２６８６１７号公報
【特許文献３】特開２０１０−１３００１号公報
【発明の概要】
【発明が解決しようとする課題】
【０００８】
ところが、上述したシーケンシャルシフトモードにおける減速時（例えばアクセルオフによる減速時）に、回生効率を向上させるべく上記変速指示装置の指示を行い、その指示に従って変速操作が行われた場合には、エンジンが過回転したり、車両の減速感が変化しドライバが違和感を感じる可能性がある。【０００９】
例えば、上記変速指示装置のシフトダウン指示に従ってドライバがシフトダウン操作を行った場合に、変速比が大きくなることに伴いエンジンの過回転を招いてしまう可能性がある。一方、上記変速指示装置のシフトアップ指示に従ってドライバがシフトアップ操作を行った場合に、変速比が小さくなることに伴いエンジンブレーキによる制動力（負の駆動力）が小さくなることで減速感が変化してしまう可能性がある。このような状況ではドライバに違和感を与えてしまうことになる。【００１０】
本発明は、かかる点に鑑みてなされたものであり、その目的とするところは、シーケンシャルシフトモードによる変速が可能であり且つ減速時に回生発電が行われる車両に対し、ドライバに違和感を与えてしまう状況を回避できる変速指示装置を提供することにある。
【課題を解決するための手段】
【００１１】
−発明の解決原理−
上記の目的を達成するために講じられた本発明の解決原理は、ハイブリッド車両に搭載され、変速段の変更を運転者に促す変速指示装置において、車両の回生発電時には、変速段の変更を運転者に促す動作を非実行とし、これによって変速段の変更に伴うドライバビリティの悪化を回避できるようにしている。【００１２】
−解決手段−
具体的に、本発明は、手動で変速段が選択可能とされた駆動力伝達系を備えるとともに車輪からの回転力を受ける被駆動時に発電する発電機を備えたハイブリッド車両に適用され、前記発電機は駆動輪に駆動力を出力可能な発電電動機であり、この発電電動機の力行時に、上記変速段の変更を運転者に促す変速指示装置であって、上記車輪からの回転力を受ける上記発電機の発電時、上記変速段の変更を上記運転者に促す動作を非実行とする構成とされたものにおいて、仮に上記運転者に変速段の変更が促され、それに従って変速段を変更した場合における、変更の前後における駆動力の変化量が所定量以下である場合には、上記変速段の変更を上記運転者に促す動作の非実行を解除する構成とされていることを特徴としている。
【００１３】
なお、本発明でいう「変速段」の定義は、「運転者の手動での操作によって切り換えられる運転状態」である。具体的には、それぞれの段（変速段）において固定された変速比や、それぞれの段において一定の幅を持った変速比も、本発明でいう「変速段」に含まれる。また、この一定の幅を持った変速比とは、自動変速のようなリニアな幅や、有段変速かつレンジホールド（このレンジホールドについては後述する）のステップ的な幅をいう。また、このレンジホールドの場合における「段」の概念として、例えばエンジンブレーキによる制動力を高めるレンジ（エンジンブレーキレンジ；Ｂレンジ）を備えた車両にあっては、このＢレンジもこの「段」という文言の意味に含まれる。【００１４】
この特定事項により、手動によって駆動力伝達系の変速段が選択されている状態で、発電機の発電時（例えば、車両の減速時における回生による発電時）には、上記変速段の変更を上記運転者に促す動作を非実行とする。これにより、この発電機の発電時に、変速段の変更を促す動作に従って変速段の変更操作を行った場合に駆動力が変化して運転者に違和感を与えてしまうといった状況を回避できる。つまり、発電機の発電時は、一般に駆動力変化を運転者が認識しやすい運転状態であり、この運転状態において、変速段の変更操作を行うと駆動力が変化することで運転者が違和感を覚える可能性がある。本解決手段では、この発電機の発電時に、変速段の変更を運転者に促す動作を非実行とすることで、この違和感を招く状況を回避できるようにしている。また、変速段の変更の前後における駆動力の変化量が比較的少ない場合には、運転者の違和感も殆ど無いとして、変速段の変更を促す動作を実行する。これにより、例えば、発電機の回生効率を高める変速段への変更を促すことが可能になり、エネルギ効率の改善を図ることができる。
【００１９】
また、変速段の変更の前後における駆動力の変化量が「０」である場合や、変速段の変更の前の駆動力が、変速段の変更の後の駆動力に対して所定のマージンを加算した値よりも小さい場合に、変速段の変更を運転者に促す動作の非実行を解除（実行）するようにしてもよい。【００２０】
特に、変速段の変更の前後における駆動力の変化量が「０」である場合に変速段の変更を運転者に促す動作の非実行を解除（変速段の変更を運転者に促す動作を実行）するようにした場合には、変速段の変更が促されて、それに従って変速段を変更しても、その変更の前後における駆動力の変化量を「０」にすることができ、ドライバビリティの大幅な改善が図れる。【００２１】
また、車速および変速段に基づいて求められるトルク領域が正トルク領域である場合や、アクセルオフされたことにともなうエンジンブレーキによる負トルクよりもエンジンのクリープトルクが大きくなる車速である場合に、変速段の変更を運転者に促す動作の非実行を解除（実行）するようにしてもよい。
【００２２】
これらの場合、変速段の変更の前において要求されている駆動力が小さいため、変速段が変更されたとしてもその変化量としては小さいものとなる。例えば運転者が殆ど認識しない程度の変化量となっている。このため、このような状況では、変速段の変更を促す動作を実行し、例えば、発電機の回生効率を高める変速段への変更を促すことが可能になる。【００２３】
また、車輪に制動力を付与する操作を運転者が行っている場合に、変速段の変更を運転者に促す動作の非実行を解除（実行）するようにしてもよい。【００２４】
例えば運転者がブレーキペダルの踏み込み操作を行っている場合である。この場合、上記制動力の大きさの方が、変速にともなう駆動力の変化よりも大きくなっている可能性が高く、変速にともなう駆動力の変化については乗員が認識しにくい状況となっている。このため、このような状況では、変速段の変更を促す動作の非実行を解除（許可）し、発電機の回生効率を高める変速段への変更を促すことが可能になる。【００２５】
また、上記発電機の発電時に、変速段の変更を運転者に促す動作を非実行とすることの態様として、車速に応じて、上記変速段が変更された場合の駆動力の変化量が予め記憶されており、現在の車速が、上記変速段の変更時の駆動力の変化量が所定量以上となる車速である場合に、上記変速段の変更を上記運転者に促す動作を非実行とするものが挙げられる。
【００２６】
また、各変速段相互間での変更が行われた場合の駆動力の変化量が予め記憶されており、現在選択されている変速段に対して駆動力の変化量が所定値以上となる変速段への変更を上記運転者に促す動作を非実行とするものも挙げられる。【００２８】
上記駆動力伝達系として具体的には、変速比を無段階に切り換え可能とする無段変速機構が備えられており、手動変速モードでは、上記無段変速機構で設定される変速比が複数段階に切り換えられる構成としている。【００２９】
尚、ここでいう自動変速モードとは、例えばシフトレバーがドライブ（Ｄ）位置に操作されている場合である。また、手動変速モードとは、シフトレバーがシーケンシャル（Ｓ）位置に操作されている場合である。さらに、レンジ位置として「２（２ｎｄ）」「３（３ｒｄ）」等を備えている場合には、これら「２（２ｎｄ）」や「３（３ｒｄ）」のレンジ位置にシフトレバーが操作されている場合も手動変速モードとなる。【００３０】
また、ハイブリッド車両の具体構成としては、車両が、走行用の駆動力源として内燃機関を備えており、この内燃機関の出力軸が連結されるプラネタリキャリアと、第１の電動機が連結されるサンギヤと、第２の電動機が連結されるリングギヤとを備えた遊星歯車機構により構成される動力分割機構を備えさせ、上記第１の電動機の回転速度を制御することによって内燃機関の回転速度を変更することで駆動力伝達系における変速比が変更可能な構成とされている。
【発明の効果】
【００３１】
本発明では、変速段の変更を運転者に促す変速指示装置において、発電機の発電時には、変速段の変更を運転者に促す動作を非実行としている。このため、発電機の発電時に、変速段の変更を促す動作に従って変速段の変更操作を行った場合に駆動力が変化して運転者に違和感を与えてしまうといった状況を回避できる。
【図面の簡単な説明】
【００３２】
【図１】図１は、実施形態に係るハイブリッド車両の概略構成を示す図である。
【図２】図２は、ハイブリッド車両の制御系の概略構成を示すブロック図である。
【図３】図３は、ハイブリッド車両の基本制御の手順を示すフローチャートである。
【図４】図４は、要求駆動力設定マップの一例を示す図である。
【図５】図５は、目標エンジン回転速度設定マップの一例を示す図である。
【図６】図６は、目標変速段設定マップの一例を示す図である。
【図７】図７は、車速および変速段に応じて得られるエンジンブレーキの特性を示す図である。
【図８】図８は、回生発電時における動力分割機構の各回転要素の回転速度とトルクとの力学的な関係を示す共線図である。
【図９】図９は、コンビネーションメータを示す図である。
【図１０】図１０は、シフトアップランプおよびシフトダウンランプの点灯状態を示す図であって、図１０（ａ）はシフトアップ指示時を、図１０（ｂ）はシフトダウン指示時をそれぞれ示す図である。
【図１１】図１１は、回生時における変速指示制御の手順を示すフローチャート図である。
【図１２】図１２は、変形例１における変速指示制御の手順の一部のステップを示すフローチャート図である。
【図１３】図１３は、変形例２における変速指示制御の手順の一部のステップを示すフローチャート図である。
【図１４】図１４は、変形例３における変速指示制御の手順の一部のステップを示すフローチャート図である。
【図１５】図１５は、変形例４における変速指示制御の手順を示すフローチャート図である。
【図１６】図１６は、目標変速段設定マップの他の例を示す図である。
【発明を実施するための形態】
【００３３】
以下、本発明の実施の形態を図面に基づいて説明する。本実施形態では、ＦＦ（フロントエンジン・フロントドライブ）方式のハイブリッド車両に本発明を適用した場合について説明する。
【００３４】
図１は本実施形態に係るハイブリッド車両１の概略構成を示す図である。この図１に示すように、ハイブリッド車両１は、前輪（駆動輪；本発明でいう車輪）６ａ，６ｂに駆動力を与えるための駆動系として、エンジン２と、エンジン２の出力軸としてのクランクシャフト２ａにダンパ２ｂを介して接続された３軸式の動力分割機構３と、この動力分割機構３に接続された発電可能な第１モータジェネレータＭＧ１と、動力分割機構３に接続された駆動軸としてのリングギヤ軸３ｅにリダクション機構７を介して接続された第２モータジェネレータＭＧ２とを備えている。これらクランクシャフト２ａ、動力分割機構３、第１モータジェネレータＭＧ１、第２モータジェネレータＭＧ２、リダクション機構７およびリングギヤ軸３ｅによって本発明でいう駆動力伝達系が構成されている。
【００３５】
また、上記リングギヤ軸３ｅは、ギヤ機構４および前輪用のデファレンシャルギヤ５を介して前輪６ａ，６ｂに接続されている。
【００３６】
また、このハイブリッド車両１は、車両の駆動系全体をコントロールするハイブリッド用電子制御ユニット（以下、ハイブリッドＥＣＵ（Ｅｌｅｃｔｒｏｎｉｃ  Ｃｏｎｔｒｏｌ  Ｕｎｉｔ）という）１０を備えている。
【００３７】
−エンジンおよびエンジンＥＣＵ−
エンジン２は、ガソリンまたは軽油などの炭化水素系の燃料により動力を出力する内燃機関であり、エンジン２の運転状態を検出する各種センサから信号を入力するエンジン用電子制御ユニット（以下、エンジンＥＣＵという）１１によって、燃料噴射制御、点火制御、吸入空気量調節制御などの運転制御が行われる。
【００３８】
エンジンＥＣＵ１１は、ハイブリッドＥＣＵ１０と通信を行っており、このハイブリッドＥＣＵ１０からの制御信号に基づいてエンジン２を運転制御するとともに、必要に応じてエンジン２の運転状態に関するデータをハイブリッドＥＣＵ１０に出力する。なお、エンジンＥＣＵ１１は、クランクポジションセンサ５６や水温センサ５７等が接続されている。クランクポジションセンサ５６は、クランクシャフト２ａが一定角度回転する毎に検出信号（パルス）を出力する。このクランクポジションセンサ５６からの出力信号に基づいてエンジンＥＣＵ１１はエンジン回転速度Ｎｅを算出する。また、水温センサ５７はエンジン２の冷却水温度に応じた検出信号を出力する。
【００３９】
−動力分割機構−
動力分割機構３は、図１に示すように、外歯歯車のサンギヤ３ａと、このサンギヤ３ａと同心円上に配置された内歯歯車のリングギヤ３ｂと、サンギヤ３ａに噛み合うとともにリングギヤ３ｂに噛み合う複数のピニオンギヤ３ｃと、これら複数のピニオンギヤ３ｃを自転かつ公転自在に保持するプラネタリキャリア３ｄとを備え、サンギヤ３ａとリングギヤ３ｂとプラネタリキャリア３ｄとを回転要素とし差動作用を行う遊星歯車機構として構成されている。この動力分割機構３では、プラネタリキャリア３ｄにエンジン２のクランクシャフト２ａが連結されている。また、サンギヤ３ａに第１モータジェネレータＭＧ１のロータ（回転子）が連結されている。さらに、リングギヤ３ｂに上記リングギヤ軸３ｅを介して上記リダクション機構７が連結されている。
【００４０】
そして、このような構成の動力分割機構３において、プラネタリキャリア３ｄに入力されるエンジン２の出力トルクに対して、第１モータジェネレータＭＧ１による反力トルクがサンギヤ３ａに入力されると、出力要素であるリングギヤ３ｂには、エンジン２から入力されたトルクより大きいトルクが現れる。この場合、第１モータジェネレータＭＧ１は発電機として機能する。第１モータジェネレータＭＧ１が発電機として機能するときには、プラネタリキャリア３ｄから入力されるエンジン２の駆動力が、サンギヤ３ａ側とリングギヤ３ｂ側とにそのギヤ比に応じて分配される。
【００４１】
一方、エンジン２の始動要求時にあっては、第１モータジェネレータＭＧ１が電動機（スタータモータ）として機能し、この第１モータジェネレータＭＧ１の駆動力がサンギヤ３ａおよびプラネタリキャリア３ｄを介してクランクシャフト２ａに与えられてエンジン２がクランキングされる。
【００４２】
また、動力分割機構３において、リングギヤ３ｂの回転速度（出力軸回転速度）が一定であるときに、第１モータジェネレータＭＧ１の回転速度を上下に変化させることにより、エンジン２の回転速度を連続的に（無段階に）変化させることができる。つまり、動力分割機構３が変速部として機能する。
【００４３】
−リダクション機構−
上記リダクション機構７は、図１に示すように、外歯歯車のサンギヤ７ａと、このサンギヤ７ａと同心円上に配置された内歯歯車のリングギヤ７ｂと、サンギヤ７ａに噛み合うとともにリングギヤ７ｂに噛み合う複数のピニオンギヤ７ｃと、これら複数のピニオンギヤ７ｃを自転自在に保持するプラネタリキャリア７ｄとを備えている。このリダクション機構７では、プラネタリキャリア７ｄがトランスミッションケースに固定されている。また、サンギヤ７ａが第２モータジェネレータＭＧ２のロータ（回転子）に連結されている。さらに、リングギヤ７ｂが上記リングギヤ軸３ｅに連結されている。
【００４４】
−パワースイッチ−
ハイブリッド車両１には、ハイブリッドシステムの起動と停止とを切り換えるためのパワースイッチ５１（図２参照）が設けられている。このパワースイッチ５１は、例えば、跳ね返り式のプッシュスイッチあって、押圧操作される毎に、スイッチＯｎとスイッチＯｆｆとが交互に切り替わるようになっている。
【００４５】
ここで、ハイブリッドシステムとは、エンジン２およびモータジェネレータＭＧ１，ＭＧ２を走行用の駆動力源とし、そのエンジン２の運転制御、モータジェネレータＭＧ１，ＭＧ２の駆動制御、エンジン２およびモータジェネレータＭＧ１，ＭＧ２の協調制御などを含む各種制御を実行することによってハイブリッド車両１の走行を制御するシステムである。
【００４６】
パワースイッチ５１は、ドライバを含む搭乗者により操作された場合に、その操作に応じた信号（ＩＧ−Ｏｎ指令信号またはＩＧ−Ｏｆｆ指令信号）をハイブリッドＥＣＵ１０に出力する。ハイブリッドＥＣＵ１０は、パワースイッチ５１から出力された信号などに基づいてハイブリッドシステムを起動または停止する。
【００４７】
具体的には、ハイブリッドＥＣＵ１０は、ハイブリッド車両１の停車中に、パワースイッチ５１が操作された場合には、後述するＰポジションで上記ハイブリッドシステムを起動する。これにより車両が走行可能な状態となる。なお、停車中のハイブリッドシステムの起動時には、Ｐポジションでハイブリッドシステムが起動されることから、アクセルオン状態であっても、駆動力が出力されることはない。車両が走行可能な状態とは、ハイブリッドＥＣＵ１０の指令信号により車両走行を制御できる状態であって、ドライバがアクセルオンすれば、ハイブリッド車両１が発進・走行できる状態（Ｒｅａｄｙ−Ｏｎ状態）のことである。なお、Ｒｅａｄｙ−Ｏｎ状態には、エンジン２が停止状態で、第２モータジェネレータＭＧ２でハイブリッド車両１の発進・走行が可能な状態（ＥＶ走行が可能な状態）も含まれる。
【００４８】
また、ハイブリッドＥＣＵ１０は、例えば、ハイブリッドシステムが起動中で、停車時にＰポジションであるときに、パワースイッチ５１が操作（例えば、短押し）された場合にはハイブリッドシステムを停止する。
【００４９】
−シフト操作装置および変速モード−
本実施形態のハイブリッド車両１には、図２に示すようなシフト操作装置９が設けられている。このシフト操作装置９は、運転席の近傍に配置され、変位操作可能なシフトレバー９１が設けられている。また、シフト操作装置９には、パーキングポジション（Ｐポジション）、リバースポジション（Ｒポジション）、ニュートラルポジション（Ｎポジション）、ドライブポジション（Ｄポジション）、および、シーケンシャルポジション（Ｓポジション）を有するシフトゲート９ａが形成されており、ドライバが所望のポジションへシフトレバー９１を変位させることが可能となっている。シフトレバー９１が、これらＰポジション、Ｒポジション、Ｎポジション、Ｄポジション、Ｓポジション（下記の「＋」ポジションおよび「−」ポジションも含む）の各ポジションのうちのいずれに位置しているかは、シフトポジションセンサ５０によって検出される。
【００５０】
上記シフトレバー９１が「Ｄポジション」に操作されている状態では、ハイブリッドシステムは「自動変速モード」とされ、エンジン２の動作点が後述する最適燃費動作ライン上となるように変速比が制御される電気式無段変速制御が行われる。
【００５１】
一方、上記シフトレバー９１が「Ｓポジション」に操作されている状態では、ハイブリッドシステムは「手動変速モード（シーケンシャルシフトモード（Ｓモード））」とされる。このＳポジションの前後には「＋」ポジションおよび「−」ポジションが設けられている。「＋」ポジションは、マニュアルシフトアップを行う際にシフトレバー９１が操作されるポジションであり、「−」ポジションは、マニュアルシフトダウンを行う際にシフトレバー９１が操作されるポジションである。そして、シフトレバー９１がＳポジションにあるときに、シフトレバー９１がＳポジションを中立位置として「＋」ポジションまたは「−」ポジションに操作（手動による変速操作）されると、ハイブリッドシステムによって成立される擬似的な変速段（例えば第１モータジェネレータＭＧ１の制御によってエンジン回転速度を調整することで成立される変速段）がアップまたはダウンされる。具体的には、「＋」ポジションへの１回操作毎に変速段が１段ずつアップ（例えば１ｓｔ→２ｎｄ→３ｒｄ→４ｔｈ→５ｔｈ→６ｔｈ）される。一方、「−」ポジションへの１回操作毎に変速段が１段ずつダウン（例えば６ｔｈ→５ｔｈ→４ｔｈ→３ｒｄ→２ｎｄ→１ｓｔ）される。なお、この手動変速モードにおいて選択可能な段数は「６段」に限定されることなく、他の段数（例えば「４段」や「８段」）であってもよい。
【００５２】
なお、本発明における手動変速モードの概念は、上述した如くシフトレバー９１がＳポジションにあるときに限らず、シフトゲート９ａ上のレンジ位置として「２（２ｎｄ）」や「３（３ｒｄ）」等を備えている場合に、これら「２（２ｎｄ）」や「３（３ｒｄ）」のレンジ位置にシフトレバー９１が操作されている場合も含まれる。例えば、シフトレバー９１がＤポジションから「３（３ｒｄ）」レンジ位置に操作された場合には、自動変速モードから手動変速モードに切り換えられる。
【００５３】
また、運転席の前方に配設されているステアリングホイール９ｂ（図２参照）には、パドルスイッチ９ｃ，９ｄが設けられている。これらパドルスイッチ９ｃ，９ｄはレバー形状とされ、手動変速モードにおいてシフトアップを要求する指令信号を出力するためのシフトアップ用パドルスイッチ９ｃと、シフトダウンを要求する指令信号を出力するためのシフトダウン用パドルスイッチ９ｄとを備えている。上記シフトアップ用パドルスイッチ９ｃには「＋」の記号が、上記シフトダウン用パドルスイッチ９ｄには「−」の記号がそれぞれ付されている。そして、上記シフトレバー９１が「Ｓポジション」に操作されて「手動変速モード」となっている場合には、シフトアップ用パドルスイッチ９ｃが操作（手前に引く操作）されると、１回操作毎に変速段が１段ずつアップされる。一方、シフトダウン用パドルスイッチ９ｄが操作（手前に引く操作）されると、１回操作毎に変速段が１段ずつダウンされる。
【００５４】
このように、本実施形態におけるハイブリッドシステムでは、シフトレバー９１が「Ｄポジション」に操作されて「自動変速モード」になると、エンジン２が効率よく運転されるように駆動制御される。具体的には、エンジン２の運転動作点が、最適燃費ライン上となるようにハイブリッドシステムが制御される。一方、シフトレバー９１が「Ｓポジション」に操作されて「手動変速モード（Ｓモード）」になると、リングギヤ軸３ｅの回転速度に対するエンジン２の回転速度の比である変速比を、ドライバの変速操作に応じて例えば６段階（１ｓｔ〜６ｔｈ）に変更することが可能となる。
【００５５】
−モータジェネレータおよびモータＥＣＵ−
モータジェネレータＭＧ１，ＭＧ２は、いずれも、発電機として駆動できるとともに電動機として駆動できる周知の同期発電電動機により構成されており、インバータ２１，２２および昇圧コンバータ２３を介してバッテリ（蓄電装置）２４との間で電力のやりとりを行う。各インバータ２１，２２、昇圧コンバータ２３およびバッテリ２４を互いに接続する電力ライン２５は、各インバータ２１，２２が共用する正極母線および負極母線として構成されており、モータジェネレータＭＧ１，ＭＧ２のいずれかで発電される電力を他のモータで消費することができるようになっている。したがって、バッテリ２４は、モータジェネレータＭＧ１，ＭＧ２のいずれかから生じた電力や不足する電力により充放電されることになる。なお、モータジェネレータＭＧ１，ＭＧ２により電力収支がバランスしている場合には、バッテリ２４は充放電されない。
【００５６】
モータジェネレータＭＧ１，ＭＧ２は、いずれも、モータ用電子制御ユニット（以下、モータＥＣＵという）１３により駆動制御される。このモータＥＣＵ１３には、モータジェネレータＭＧ１，ＭＧ２を駆動制御するために必要な信号、例えばモータジェネレータＭＧ１，ＭＧ２のロータ（回転軸）の各回転位置を検出するＭＧ１回転速度センサ（レゾルバ）２６およびＭＧ２回転速度センサ２７からの信号や電流センサにより検出されるモータジェネレータＭＧ１，ＭＧ２に印加される相電流などが入力されている。また、モータＥＣＵ１３からは、インバータ２１，２２へのスイッチング制御信号が出力されている。例えば、モータジェネレータＭＧ１，ＭＧ２のいずれかを発電機として駆動制御（例えば、第２モータジェネレータＭＧ２を回生制御）したり、電動機として駆動制御（例えば、第２モータジェネレータＭＧ２を力行制御）したりする。また、モータＥＣＵ１３は、ハイブリッドＥＣＵ１０と通信を行っており、このハイブリッドＥＣＵ１０からの制御信号に従って上述した如くモータジェネレータＭＧ１，ＭＧ２を駆動制御するとともに、必要に応じてモータジェネレータＭＧ１，ＭＧ２の運転状態に関するデータをハイブリッドＥＣＵ１０に出力する。
【００５７】
なお、上記第２モータジェネレータＭＧ２が、本発明でいう「車輪からの回転力を受ける被駆動時に発電する発電機」、および、「駆動輪に駆動力を出力可能な発電電動機」に相当する。
【００５８】
−バッテリおよびバッテリＥＣＵ−
バッテリ２４は、バッテリ用電子制御ユニット（以下、バッテリＥＣＵという）１４によって管理されている。このバッテリＥＣＵ１４には、バッテリ２４を管理するのに必要な信号、例えば、バッテリ２４の端子間に設置された電圧センサ２４ａからの端子間電圧、バッテリ２４の出力端子に接続された電力ライン２５に取り付けられた電流センサ２４ｂからの充放電電流、バッテリ２４に取り付けられたバッテリ温度センサ２４ｃからのバッテリ温度Ｔｂなどが入力されており、必要に応じてバッテリ２４の状態に関するデータを通信によりハイブリッドＥＣＵ１０に出力する。
【００５９】
また、バッテリＥＣＵ１４は、バッテリ２４を管理するために、電流センサ２４ｂにて検出された充放電電流の積算値に基づいて電力の残容量ＳＯＣ（Ｓｔａｔｅ  ｏｆ  Ｃｈａｒｇｅ）を演算し、また、その演算した残容量ＳＯＣとバッテリ温度センサ２４ｃにて検出されたバッテリ温度Ｔｂとに基づいてバッテリ２４を充放電してもよい最大許容電力である入力制限Ｗｉｎ，出力制限Ｗｏｕｔを演算する。なお、バッテリ２４の入力制限Ｗｉｎ，出力制限Ｗｏｕｔは、バッテリ温度Ｔｂに基づいて入力制限Ｗｉｎ，出力制限Ｗｏｕｔの基本値を設定し、バッテリ２４の残容量ＳＯＣに基づいて入力制限用補正係数と出力制限用補正係数とを設定し、上記設定した入力制限Ｗｉｎ，出力制限Ｗｏｕｔの基本値に上記補正係数を乗じることにより設定することができる。
【００６０】
−ハイブリッドＥＣＵおよび制御系−
上記ハイブリッドＥＣＵ１０は、図２に示すように、ＣＰＵ（Ｃｅｎｔｒａｌ  Ｐｒｏｃｅｓｓｉｎｇ  Ｕｎｉｔ）４０、ＲＯＭ（Ｒｅａｄ  Ｏｎｌｙ  Ｍｅｍｏｒｙ）４１、ＲＡＭ（Ｒａｎｄｏｍ  Ａｃｃｅｓｓ  Ｍｅｍｏｒｙ）４２およびバックアップＲＡＭ４３などを備えている。ＲＯＭ４１は、各種制御プログラムや、それら各種制御プログラムを実行する際に参照されるマップ等が記憶されている。ＣＰＵ４０は、ＲＯＭ４１に記憶された各種制御プログラムやマップに基づいて各種の演算処理を実行する。ＲＡＭ４２は、ＣＰＵ４０での演算結果や各センサから入力されたデータ等を一時的に記憶するメモリである。バックアップＲＡＭ４３は、例えばＩＧ−Ｏｆｆ時にその保存すべきデータ等を記憶する不揮発性のメモリである。
【００６１】
以上のＣＰＵ４０、ＲＯＭ４１、ＲＡＭ４２およびバックアップＲＡＭ４３は、バス４６を介して互いに接続されるとともに、入力インターフェース４４および出力インターフェース４５と接続されている。
【００６２】
入力インターフェース４４には、上記シフトポジションセンサ５０、上記パワースイッチ５１、アクセルペダルの踏み込み量に応じた信号を出力するアクセル開度センサ５２、ブレーキペダルの踏み込み量に応じた信号を出力するブレーキペダルセンサ５３、車体速度に応じた信号を出力する車速センサ５４等が接続されている。
【００６３】
これにより、ハイブリッドＥＣＵ１０には、シフトポジションセンサ５０からのシフトポジション信号、パワースイッチ５１からのＩＧ−Ｏｎ信号やＩＧ−Ｏｆｆ信号、アクセル開度センサ５２からのアクセル開度信号、ブレーキペダルセンサ５３からのブレーキペダルポジション信号、車速センサ５４からの車速信号等が入力されるようになっている。
【００６４】
また、入力インターフェース４４および出力インターフェース４５には、上記エンジンＥＣＵ１１、モータＥＣＵ１３、バッテリＥＣＵ１４、後述するＧＳＩ（Ｇｅａｒ  Ｓｈｉｆｔ  Ｉｎｄｉｃａｔｏｒ）−ＥＣＵ１６が接続されており、ハイブリッドＥＣＵ１０は、これらエンジンＥＣＵ１１、モータＥＣＵ１３、バッテリＥＣＵ１４およびＧＳＩ−ＥＣＵ１６との間で各種制御信号やデータの送受信を行っている。
【００６５】
−ハイブリッドシステムにおける駆動力の流れ−
このように構成されたハイブリッド車両１は、ドライバによるアクセルペダルの踏み込み量に対応するアクセル開度Ａｃｃと車速Ｖとに基づいて、駆動輪６ａ，６ｂに出力すべきトルク（要求トルク）を計算し、この要求トルクに対応する要求駆動力により走行するように、エンジン２とモータジェネレータＭＧ１，ＭＧ２とが運転制御される。具体的には、燃料消費量の削減を図るために、要求駆動力が比較的低い運転領域にあっては、第２モータジェネレータＭＧ２を利用して上記要求駆動力が得られるようにする。一方、要求駆動力が比較的高い運転領域にあっては、第２モータジェネレータＭＧ２を利用すると共に、エンジン２を駆動し、これら駆動力源（走行駆動力源）からの駆動力により、上記要求駆動力が得られるようにする。
【００６６】
より具体的には、車両の発進時や低速走行時等であってエンジン２の運転効率が低い場合には、第２モータジェネレータＭＧ２のみにより走行（以下、「ＥＶ走行」ともいう）を行う。また、車室内に配置された走行モード選択スイッチによってドライバがＥＶ走行モードを選択した場合にもＥＶ走行を行う。
【００６７】
一方、通常走行（以下、ＨＶ走行ともいう）時には、例えば上記動力分割機構３によりエンジン２の駆動力を２経路に分け（トルクスプリット）、その一方の駆動力で駆動輪６ａ，６ｂの直接駆動（直達トルクによる駆動）を行い、他方の駆動力で第１モータジェネレータＭＧ１を駆動して発電を行う。このとき、第１モータジェネレータＭＧ１の駆動により発生する電力で第２モータジェネレータＭＧ２を駆動して駆動輪６ａ，６ｂの駆動補助を行う（電気パスによる駆動）。
【００６８】
このように、上記動力分割機構３が差動機構として機能し、その差動作用によりエンジン２からの動力の主部を駆動輪６ａ，６ｂに機械的に伝達し、そのエンジン２からの動力の残部を第１モータジェネレータＭＧ１から第２モータジェネレータＭＧ２への電気パスを用いて電気的に伝達することにより、電気的に変速比が変更される電気式無段変速機としての機能が発揮される。これにより、駆動輪６ａ，６ｂ（リングギヤ軸３ｅ）の回転速度およびトルクに依存することなく、エンジン回転速度およびエンジントルクを自由に操作することが可能となり、駆動輪６ａ，６ｂに要求される駆動力を得ながらも、燃料消費率が最適化されたエンジン２の運転状態を得ることが可能となる。
【００６９】
また、高速走行時には、さらにバッテリ２４からの電力を第２モータジェネレータＭＧ２に供給し、この第２モータジェネレータＭＧ２の出力を増大させて駆動輪６ａ，６ｂに対して駆動力の追加（駆動力アシスト；力行）を行う。
【００７０】
さらに、減速時には、第２モータジェネレータＭＧ２が発電機として機能して回生発電を行い、回収した電力をバッテリ２４に蓄える。なお、バッテリ２４の充電量（上記残容量；ＳＯＣ）が低下し、充電が特に必要な場合には、エンジン２の出力を増加して第１モータジェネレータＭＧ１による発電量を増やしてバッテリ２４に対する充電量を増加する。また、低速走行時においても必要に応じてエンジン２の駆動量を増加する制御を行う場合もある。例えば、前述のようにバッテリ２４の充電が必要な場合や、エアコン等の補機を駆動する場合や、エンジン２の冷却水の温度を所定温度まで上げる場合などである。
【００７１】
また、本実施形態のハイブリッド車両１においては、車両の運転状態やバッテリ２４の状態によって、燃費を向上させるために、エンジン２を停止させる。そして、その後も、ハイブリッド車両１の運転状態やバッテリ２４の状態を検知して、エンジン２を再始動させる。このように、ハイブリッド車両１においては、パワースイッチ５１がＯＮ位置であってもエンジン２は間欠運転（エンジン停止と再始動とを繰り返す運転）される。
【００７２】
なお、本実施形態において、エンジン間欠運転は、例えば、Ｓモード時の変速段がエンジン間欠運転許可段以上である場合に許可（エンジン間欠許可）され、Ｓモード時の変速段が上記エンジン間欠運転許可段よりも低い場合に禁止（エンジン間欠禁止）される。
【００７３】
−ハイブリッド車両の基本制御−
次に、上述の如く構成されたハイブリッド車両１の基本制御について説明する。
【００７４】
図３は、ハイブリッド車両１の基本制御の手順を示すフローチャートである。このフローチャートは、ハイブリッドＥＣＵ１０において所定時間（例えば数ｍｓｅｃ）毎に繰り返し実行される。
【００７５】
ステップＳＴ１において、アクセル開度センサ５２からの出力信号により求められるアクセル開度Ａｃｃと、車速センサ５４からの出力信号により求められる車速Ｖ（リングギヤ軸３ｅの回転速度に相関がある）、前回ルーチンにおけるシーケンシャル変速段（前回ルーチンが手動変速モードであった場合にシフトポジションセンサ５０によって検出されていた変速段）Ｙｌａｓｔの取得を行う。
【００７６】
ステップＳＴ１における各種情報の取得後、ステップＳＴ２に進み、入力されたアクセル開度Ａｃｃおよび車速Ｖに基づいて要求駆動力を設定する。本実施形態では、アクセル開度Ａｃｃと車速Ｖと要求駆動力との関係が予め定められた要求駆動力設定マップがＲＯＭ４１に記憶されており、この要求駆動力設定マップが参照されて、アクセル開度Ａｃｃおよび車速Ｖに対応した要求駆動力が抽出される。
【００７７】
図４に要求駆動力設定マップの一例を示す。この要求駆動力設定マップは、車速Ｖおよびアクセル開度Ａｃｃをパラメータとしてドライバが要求する駆動力を求めるためのマップであって、異なるアクセル開度Ａｃｃに対応させて複数の特性ラインが規定されている。これら特性ラインのうち、最上段に示された特性ラインはアクセル開度Ａｃｃが全開（Ａｃｃ＝１００％）である場合に相当している。また、アクセル開度Ａｃｃが全閉である場合に相当する特性ラインは、図中に「Ａｃｃ＝０％」で示されている。
【００７８】
この要求駆動力設定マップに基づいて要求駆動力を設定した後、ステップＳＴ３に進み、エンジン２に要求される要求パワーＰｅおよび目標エンジン回転速度Ｎｅｔｒｇを設定する。具体的には、上記ステップＳＴ２で設定された要求駆動力と、車速センサ５４により検出された車速Ｖとに基づいて要求パワーＰｅを設定する。また、目標エンジン回転速度Ｎｅｔｒｇは、上記設定された要求パワーＰｅと、図５に示す目標エンジン回転速度設定マップ（目標エンジン回転速度Ｎｅｔｒｇを設定するためのマップ）とに基づいて設定される。具体体には、この目標エンジン回転速度設定マップ上に設定されているエンジン２の最適燃費動作ラインと要求パワーライン（等パワーライン；図中に二点鎖線で示す）とに基づいて目標エンジン回転速度Ｎｅｔｒｇを設定する。この最適燃費動作ラインは、通常走行用（ＨＶ走行用）運転動作点の設定制約として予め定められたエンジン２を効率よく動作させるための動作ラインである。このため、上記要求パワーＰｅを満たし且つエンジン２を効率よく動作させるためのエンジン２の運転動作点としては、この最適燃費動作ラインと、エンジン回転速度ＮｅとトルクＴｅとの相関曲線である上記要求パワーラインとの交点（図中における点Ａ）として求められることになる。図５に示すものの場合、目標エンジン回転速度はＮｅｔｒｇ１として求められる。
【００７９】
このようにしてエンジン２の要求パワーＰｅおよび目標エンジン回転速度Ｎｅｔｒｇを設定した後、ステップＳＴ４に進み、目標変速段Ｘを設定する。具体的には、上記設定された要求駆動力（ステップＳＴ２）と、アクセル開度センサ５２により検出されたアクセル開度Ａｃｃと、車速センサ５４により検出された車速Ｖと、図６に示す目標変速段設定マップとに基づいて目標変速段Ｘが設定される。この図６に示す目標変速段設定マップは、要求駆動力と車速Ｖとアクセル開度Ａｃｃとをパラメータとし、これら要求駆動力、車速Ｖ、アクセル開度Ａｃｃに応じて、適正な変速段（最適な燃費となる目標変速段（以下、「推奨変速段」という場合もある）を求めるための複数の領域（変速切替ラインにて区画された第１変速段（１ｓｔ）から第６変速段（６ｔｈ）までの領域）が設定されたマップであって、ハイブリッドＥＣＵ１０のＲＯＭ４１に記憶されている。
【００８０】
本実施形態における目標変速段設定マップにあっては、アクセルオン（Ａｃｃ＞０％）の状態で要求される駆動力としては、同一車速である場合、Ｌｏｗギヤ段（変速比が大きいギヤ段）ほど高く設定されている。
【００８１】
また、アクセルオフ（Ａｃｃ＝０％）の状態で要求される駆動力としては、第１変速段（１ｓｔ）から第４変速段（４ｔｈ）の間では、Ｌｏｗギヤ段（変速比が大きいギヤ段）ほど低く（負の駆動力が大きく）設定されている。また、この第４変速段（４ｔｈ）から第６変速段（６ｔｈ）の間では、アクセルオフの状態で要求される駆動力は互いに一致している。このため、アクセルオフの状態において、第１変速段（１ｓｔ）から第４変速段（４ｔｈ）の間では、選択される変速段が変化する度に駆動力が変化する。これに対し、第４変速段（４ｔｈ）から第６変速段（６ｔｈ）の間では、選択される変速段が変化しても駆動力は不変となる。
【００８２】
このため、アクセルオフ時に発生するエンジンブレーキトルク（駆動輪６ａ，６ｂに対して制動力として作用するトルク）の大きさとしては、図７に示すように、所定車速以上において、第１変速段（１ｓｔ）から第４変速段（４ｔｈ）の間ではＬｏｗギヤ段ほど大きくなるのに対し、第４変速段（４ｔｈ）から第６変速段（６ｔｈ）の間では略一定となる。
【００８３】
目標変速段Ｘを設定した後、ステップＳＴ５に進み、現在の走行モードが手動変速モード（Ｓモード）であるか否か、すなわち手動変速モードの実行中であるか否かを判定する。具体的には、シフトレバー９１の位置をシフトポジションセンサ５０によって検出し、その検出されたシフトレバー９１の位置がＳポジションであるか否かを判定するようにしている。
【００８４】
そして、手動変速モードではなくステップＳＴ５でＮＯ判定された場合には、ステップＳＴ１４に進み、前回ルーチンにおけるシーケンシャル変速段Ｙｌａｓｔをクリアする。つまり、ドライバの操作によりシフトレバー９１がＳポジション（「＋」ポジションおよび「−」ポジションを含む）以外のポジションに操作された、または、Ｓポジション以外のポジションに操作されているとしてシーケンシャル変速段Ｙｌａｓｔをクリアする。
【００８５】
その後、ステップＳＴ１３に進み、目標エンジントルクＴｅｔｒｇ、目標ＭＧ１回転速度（第１モータジェネレータＭＧ１の目標回転速度；指令回転速度）Ｎｍ１ｔｒｇ、目標ＭＧ１トルク（第１モータジェネレータＭＧ１の目標トルク；指令トルク）Ｔｍ１ｔｒｇ、目標ＭＧ２トルク（第２モータジェネレータＭＧ２の目標トルク；指令トルク）Ｔｍ２ｔｒｇを設定する。
【００８６】
ここでは、上記ステップＳＴ２において設定された要求駆動力と、上記ステップＳＴ３において設定された要求パワーＰｅおよび目標エンジン回転速度Ｎｅｔｒｇとに基づいて、目標エンジントルクＴｅｔｒｇ、目標ＭＧ１回転速度Ｎｍ１ｔｒｇ、目標ＭＧ１トルクＴｍ１ｔｒｇ、目標ＭＧ２トルクＴｍ２ｔｒｇを設定する。
【００８７】
具体的には、上記ステップＳＴ３で設定された要求パワーＰｅを目標エンジン回転速度Ｎｅｔｒｇで除することにより目標エンジントルクＴｅｔｒｇを設定する。また、上記設定した目標エンジン回転速度Ｎｅｔｒｇとリングギヤ軸３ｅの回転速度Ｎｒと動力分割機構３のギヤ比ρ（サンギヤ３ａの歯数／リングギヤ３ｂの歯数）とを用いて第１モータジェネレータＭＧ１の目標回転速度である上記目標ＭＧ１回転速度Ｎｍ１ｔｒｇを計算した上で、この計算した目標ＭＧ１回転速度Ｎｍ１ｔｒｇと現在のＭＧ１回転速度Ｎｍ１とに基づいて第１モータジェネレータＭＧ１の目標トルクである上記目標ＭＧ１トルク（指令トルク）Ｔｍ１ｔｒｇを設定する。さらに、バッテリ２４の入出力制限Ｗｉｎ，Ｗｏｕｔと、上記目標ＭＧ１トルクＴｍ１ｔｒｇおよび現在の第１モータジェネレータＭＧ１の回転速度Ｎｍ１の積として得られる第１モータジェネレータＭＧ１の消費電力（発電電力）との偏差を第２モータジェネレータＭＧ２の回転速度Ｎｍ２で除することにより第２モータジェネレータＭＧ２から出力してもよいトルクの上下限としてのトルク制限Ｔｍｉｎ，Ｔｍａｘを計算する。そして、上記目標エンジントルクＴｅｔｒｇと目標ＭＧ１トルクＴｍ１ｔｒｇと動力分割機構３のギヤ比ρとリダクション機構７のギヤ比Ｇｒとに基づいて第２モータジェネレータＭＧ２から出力すべきトルクとしての仮モータトルクＴｍ２ｔｍｐを計算し、第２モータジェネレータＭＧ２の指令トルクである目標ＭＧ２トルクＴｍ２ｔｒｇを、上記計算したトルク制限Ｔｍｉｎ，Ｔｍａｘで仮モータトルクＴｍ２ｔｍｐを制限した値として設定する。このようにして目標ＭＧ２トルクＴｍ２ｔｒｇを設定することにより、リングギヤ軸３ｅに出力するトルクが、バッテリ２４の入出力制限Ｗｉｎ，Ｗｏｕｔの範囲内で制限したトルクとして設定される。
【００８８】
以上の如く設定された目標エンジン回転速度Ｎｅｔｒｇおよび目標エンジントルクＴｅｔｒｇをエンジンＥＣＵ１１に出力し、また、上記設定された目標ＭＧ１回転速度Ｎｍ１ｔｒｇ、目標ＭＧ１トルクＴｍ１ｔｒｇ、目標ＭＧ２トルクＴｍ２ｔｒｇをモータＥＣＵ１３に出力する。そして、エンジンＥＣＵ１１は、設定された目標エンジン回転速度Ｎｅｔｒｇおよび目標エンジントルクＴｅｔｒｇに基づいてエンジン２の運転制御を行う。また、モータＥＣＵ１３は、設定された目標ＭＧ１回転速度Ｎｍ１ｔｒｇ、目標ＭＧ１トルクＴｍ１ｔｒｇに基づいて第１モータジェネレータＭＧ１を駆動制御し、設定された目標ＭＧ２トルクＴｍ２ｔｒｇに基づいて第２モータジェネレータＭＧ２を駆動制御することになる。
【００８９】
一方、上記ステップＳＴ５の判定において、手動変速モードの実行中であってＹＥＳ判定された場合には、ステップＳＴ６に進み、前回のシーケンシャル変速段Ｙｌａｓｔが存在しているか否かを判定する。ここでは、前回のシーケンシャル変速段Ｙｌａｓｔが存在しているか否かを判定することで、手動変速モードの開始時であるか、あるいは手動変速モードが継続中であるかを判定する。
【００９０】
前回のシーケンシャル変速段Ｙｌａｓｔが存在しており、ステップＳＴ６でＹＥＳ判定されると、ステップＳＴ７に進み、そのシーケンシャル変速段Ｙｌａｓｔを現在のシーケンシャル変速段Ｙとして設定する。つまり、手動変速モードが継続中であると判定されたことで、前回ルーチンで設定されたシーケンシャル変速段Ｙｌａｓｔを現在のシーケンシャル変速段Ｙとして設定する。
【００９１】
一方、前回のシーケンシャル変速段Ｙｌａｓｔが存在しておらず、ステップＳＴ６でＮＯ判定された場合には、ステップＳＴ８に進み、上記ステップＳＴ４で設定された目標変速段Ｘをシーケンシャル変速段Ｙとして設定する。つまり、手動変速モードが開始された直後であると判定されたことで、要求駆動力等に基づいて設定された目標変速段Ｘ（ステップＳＴ４で設定された目標変速段Ｘ）を手動変速モード開始時のシーケンシャル変速段Ｙとして設定する。
【００９２】
このようにしてシーケンシャル変速段Ｙが設定された後、ステップＳＴ９に進み、ドライバによる変速操作が行われたか否かを判定する。ここでは、ドライバの操作によりＳポジションに位置するシフトレバー９１が「＋」ポジションまたは「−」ポジションに向けて操作されたことがシフトポジションセンサ５０によって検出された場合にＹＥＳ判定されることになる。
【００９３】
ドライバによる変速操作が行われ、ステップＳＴ９でＹＥＳ判定されると、ステップＳＴ１０に進んで、変速操作に基づいてシーケンシャル変速段Ｙを変更する。ここでは、ドライバの操作によりＳポジションに位置するシフトレバー９１が「＋」ポジションに操作されたとシフトポジションセンサ５０が検出した場合には、シーケンシャル変速段Ｙを、現在設定されているシーケンシャル変速段Ｙに１段（１速）増加して設定する（Ｙ＝Ｙ＋１）。また、ドライバの操作によりＳポジションに位置するシフトレバー９１が「−」ポジションに操作されたとシフトポジションセンサ５０が検出した場合には、シーケンシャル変速段Ｙを、現在設定されているシーケンシャル変速段Ｙに１段（１速）減少して設定する（Ｙ＝Ｙ−１）。このようにシーケンシャル変速段Ｙを変更した後、ステップＳＴ１１に進む。なお、ドライバによる変速操作が行われず、ステップＳＴ９でＮＯ判定された場合には、シーケンシャル変速段Ｙを変更することなくステップＳＴ１１に進む。
【００９４】
ステップＳＴ１１では、上記設定されたシーケンシャル変速段Ｙと、上記取得された車速Ｖとに基づいて目標エンジン回転速度Ｎｅｔｒｇを再設定する。ここでは、手動変速モードであると判定されたことにともなって、設定されたシーケンシャル変速段Ｙ（変速が行われていない場合は前回のシーケンシャル変速段Ｙ（＝Ｙｌａｓｔ）、変速が行われている場合は変速後のシーケンシャル変速段Ｙ（＝Ｙ±１））と、車速センサ５４により取得された車速Ｖとに基づいて目標エンジン回転速度Ｎｅｔｒｇが設定される。例えば、上記変速段毎に変速比を予め設定しておき、シーケンシャル変速段Ｙと一致する変速段に対応する変速比と、取得された車速Ｖとに基づいて目標エンジン回転速度Ｎｅｔｒｇを設定するようにしている。
【００９５】
次に、ステップＳＴ１２に進み、上記設定された目標エンジン回転速度Ｎｅｔｒｇに基づいて要求駆動力を再設定する。ここでは、手動変速モードであると判定されたことにともなって、上記設定されたシーケンシャル変速段Ｙに基づいて設定された目標エンジン回転速度Ｎｅｔｒｇに基づいて要求駆動力を設定する。
【００９６】
その後、ステップＳＴ１３に進み、上述と同様にして、目標エンジントルクＴｅｔｒｇ、目標ＭＧ１回転速度Ｎｍ１ｔｒｇ、目標ＭＧ１トルクＴｍ１ｔｒｇ、目標ＭＧ２トルクＴｍ２ｔｒｇを設定する。ここでは、手動変速モード実行中であると判定されたことにともなって、上記ステップＳＴ１１において設定されたシーケンシャル変速段Ｙに基づいて設定された目標エンジン回転速度Ｎｅｔｒｇと、ステップＳＴ１２において設定された要求駆動力とに基づいて、目標エンジントルクＴｅｔｒｇ、目標ＭＧ１回転速度Ｎｍ１ｔｒｇ、目標ＭＧ１トルクＴｍ１ｔｒｇ、目標ＭＧ２トルクＴｍ２ｔｒｇが設定されることになる。
【００９７】
上述のように、本実施形態にかかるハイブリッド車両１においては、手動変速モードでない場合には、アクセル開度Ａｃｃと車速Ｖに基づいて要求駆動力が設定され、要求駆動力に基づいて目標エンジン回転速度Ｎｅｔｒｇが設定され、設定された要求駆動力および目標エンジン回転速度Ｎｅｔｒｇに基づいてエンジン２の運転制御、各モータジェネレータＭＧ１，ＭＧ２の駆動制御が行われる。一方、手動変速モードである場合、ドライバがシフトレバー９１を操作することにより、設定されたシーケンシャル変速段Ｙと車速Ｖとに基づいて目標エンジン回転速度Ｎｅｔｒｇが設定され、設定された目標エンジン回転速度Ｎｅｔｒｇに基づいて要求駆動力が設定され、この設定された目標エンジン回転速度Ｎｅｔｒｇおよび要求駆動力に基づいてエンジン２の運転制御、各モータジェネレータＭＧ１，ＭＧ２の駆動制御が行われる。
【００９８】
−回生動作−
本実施形態にかかるハイブリッド車両１においては、例えば、走行中にアクセルペダルがオンからオフ（踏み込みが解除）されてハイブリッド車両１が被駆動状態となると、エンジン２への燃料供給が停止されることで、エンジン２の運転が一時停止され、モータＥＣＵ１３により第２モータジェネレータＭＧ２の回生発電を行う回生動作が行われる。
【００９９】
具体的には、上記ＳＯＣが最大値でない場合に、第２モータジェネレータＭＧ２のトルクを負方向に作用させ、駆動輪６ａ，６ｂからの回転力をリダクション機構７を介して第２モータジェネレータＭＧ２が受けることにより、この第２モータジェネレータＭＧ２が発電を行う。この第２モータジェネレータＭＧ２の発電電力（交流）は、インバータ２２によって直流に変換され、昇圧コンバータ２３へ供給される。そして、このインバータ２２から供給された電力は、昇圧コンバータ２３によって電圧変換されてバッテリ２４に充電されることになる。
【０１００】
図８は、この回生動作（回生発電）時における動力分割機構３の各回転要素の回転速度とトルクとの力学的な関係を示す共線図である。図中、左のＳ軸はモータジェネレータＭＧ１の回転速度Ｎｍ１であるサンギヤ３ａの回転速度を示し、Ｃ軸はエンジン２の回転速度Ｎｅであるプラネタリキャリア３ｄの回転速度を示し、Ｒ軸は第２モータジェネレータＭＧ２の回転速度Ｎｍ２をリダクション機構７のギヤ比Ｇｒで除した値であるリングギヤ軸３ｅの回転速度Ｎｒを示す。なお、Ｒ軸上の２つの太線矢印は、モータＭＧ１から出力されたトルクＴｍ１がリングギヤ軸３ｅに作用するトルクと、第２モータジェネレータＭＧ２から出力されるトルクＴｍ２がリダクション機構７を介してリングギヤ軸３ｅに作用するトルクとを示す。
【０１０１】
−変速指示装置−
本実施形態に係るハイブリッド車両１には、手動変速モード（Ｓモード）において、ドライバに対して変速を促す変速指示（変速案内）を行う変速指示装置が搭載されている。以下、この変速指示装置について説明する。
【０１０２】
図９に示すように、車室内の運転席前方に配置されたコンビネーションメータ６には、スピードメータ６１、タコメータ６２、ウォータテンパラチャゲージ６３、フューエルゲージ６４、オドメータ６５、トリップメータ６６、および、各種のウォーニングインジケータランプなどが配置されている。
【０１０３】
そして、このコンビネーションメータ６には、ハイブリッド車両１の走行状態に応じて燃費向上等を図る上で適した変速段（ギヤポジション）の選択を指示する表示部として、変速段をアップ指示する際に点灯するシフトアップランプ６７、変速段をダウン指示する際に点灯するシフトダウンランプ６８が配置されている。これらシフトアップランプ６７およびシフトダウンランプ６８は、例えばＬＥＤ等で構成されており、ＧＳＩ−ＥＣＵ１６（図１参照）によって点灯および消灯が制御される。これらシフトアップランプ６７、シフトダウンランプ６８、ＧＳＩ−ＥＣＵ１６およびハイブリッドＥＣＵ１０によって、本発明でいう変速指示装置が構成されている。なお、ＧＳＩ−ＥＣＵ１６を備えさせず、上記エンジンＥＣＵ１１または図示しないパワーマネージメントＥＣＵがシフトアップランプ６７およびシフトダウンランプ６８の点灯および消灯を制御する構成としてもよい。
【０１０４】
この変速指示装置の基本制御としては、車速センサ５４の出力信号から現在の車速Ｖを求めるとともに、アクセル開度センサ５２の出力信号から現在のアクセル開度Ａｃｃを求め、それら車速Ｖおよびアクセル開度Ａｃｃを用いて、図４に示す要求駆動力設定マップを参照して要求駆動力を求める。また、この要求駆動力と上記車速ＶとアクセルＡｃｃとに基づいて図６に示す目標変速段設定マップを参照して推奨変速段（目標変速段）を求める。そして、その推奨変速段と現変速段とを比較し、推奨変速段と現変速段とが同じであるか否かを判定する。そして、推奨変速段と現変速段とが同じである場合には、変速指示を非実施とする。つまり、シフトアップランプ６７およびシフトダウンランプ６８をともに非点灯とする。一方、現変速段が推奨変速段よりも低い変速段である場合には、ハイブリッドＥＣＵ１０からＧＳＩ−ＥＣＵ１６に対してシフトアップ指示を実施するための制御信号を送信してシフトアップランプ６７を点灯する（図１０（ａ）参照）。また、現変速段が推奨変速段よりも高い変速段である場合には、ハイブリッドＥＣＵ１０からＧＳＩ−ＥＣＵ１６に対してシフトダウン指示を実施するための制御信号を送信してシフトダウンランプ６８を点灯する（図１０（ｂ）参照）。
【０１０５】
また、本実施形態における変速指示装置は、上記第２モータジェネレータＭＧ２のみで駆動輪６ａ，６ｂを駆動するＥＶ走行時にも、上記と同様にして変速段の変更を運転者に促す動作を実行する構成となっている。
【０１０６】
−回生時の変速指示制御−
次に、本実施形態の特徴とする動作である上記回生動作時における変速指示制御について説明する。
【０１０７】
先ず、この回生動作時における変速指示制御の概略について説明する。走行中にアクセルペダルの踏み込みが解除（アクセルオフ）されるなどしてハイブリッド車両１が被駆動状態となると、上述した如く回生動作が開始される。そして、この回生動作において、現在の走行モードが手動変速モードにある場合には、仮に変速指示を行い、ドライバがその変速指示に従って変速操作を行った場合に、その変速の前後での駆動力の変化が大きくなる状況にあっては、上記変速指示装置による変速指示を非実行とするようにしている（本発明でいう、変速段の変更を運転者に促す動作の非実行）。これにより、変速指示に従って変速操作を行ったことにともなって駆動力が大きく変化し、ドライバに違和感を与えてしまうといったことを防止している。一方、変速の前後での駆動力の変化が比較的小さい場合や、駆動力の変化が殆ど無い場合にあっては、変速指示を実行（許可）する。さらに、変速の前後での駆動力の変化が大きくなる可能性がある状況であっても、その駆動力の変化を乗員が認識しにくい状況にある場合には、変速指示を実行（許可）する。具体的には、例えばドライバがブレーキペダルの踏み込み操作を行っており、車両に制動力が作用している場合などである。つまり、この場合、ブレーキペダルの踏み込み操作にともなう制動力の大きさの方が、変速にともなう駆動力の変化よりも大きい場合に、この変速にともなう駆動力の変化については乗員が認識しにくいものとなっている。このため、このような状況では、変速指示を実行（許可）するようにしている。
【０１０８】
以下、この回生時における変速指示制御について図１１のフローチャートに沿って具体的に説明する。このフローチャートは、ハイブリッド車両１の走行中において所定時間毎（数ｍｓｅｃ毎）に繰り返して行われる。
【０１０９】
先ず、車両走行中において、ステップＳＴ２１でアクセルペダルの踏み込み解除操作（アクセルＯＦＦ操作）が行われたか否かを判定する。アクセルＯＦＦ操作が行われておらず、ステップＳＴ２１でＮＯ判定された場合にはリターンされる。この場合、現在の走行モードが自動変速モードであれば上記変速指示動作は非実行とされる一方、現在の走行モードが手動変速モードであれば上述した通常の変速指示動作が実施されることになる。つまり、上述した如く、推奨変速段と現変速段との比較による変速指示動作が実施される。
【０１１０】
アクセルＯＦＦ操作が行われ、ステップＳＴ２１でＹＥＳ判定された場合には、ハイブリッドシステムとしては上述した回生動作が行われるとともに、ステップＳＴ２２に進み、現在の走行モードが自動変速モードであるか否か、すなわち自動変速モードでの走行中にアクセルＯＦＦ操作が行われたか否かを判定する。具体的には、シフトレバー９１の位置をシフトポジションセンサ５０によって検出し、その検出されたシフトレバー９１の位置がＤポジションであるか否かを判定するようにしている。
【０１１１】
そして、現在の走行モードが自動変速モードであってステップＳＴ２２でＹＥＳ判定された場合には、ステップＳＴ２３に進み、上記変速指示動作は非実行（シフト指示の非実行）とされ、シフトアップランプ６７およびシフトダウンランプ６８をともに非点灯とする。つまり、自動変速モードにある場合には、上記図３のフローチャートで示したステップＳＴ４で求められた変速段（最適な燃費となる目標変速段）に自動的に設定されることになるので、変速指示は非実行とされる。
【０１１２】
一方、現在の走行モードが自動変速モードではなく、ステップＳＴ２２でＮＯ判定された場合には、ステップＳＴ２４に進み、現在の走行モードが手動変速モードであるか否か、すなわち手動変速モードでの走行中にアクセルＯＦＦ操作が行われたか否かを判定する。具体的に、この場合にもシフトレバー９１の位置をシフトポジションセンサ５０によって検出することにより判定する。つまり、検出されたシフトレバー９１の位置がＳポジションであるか否かを判定するようにしている。
【０１１３】
そして、現在の走行モードが手動変速モードであってステップＳＴ２４でＹＥＳ判定された場合には、ステップＳＴ２５に進み、ブレーキペダルの踏み込み操作（ブレーキＯＮ）が行われていること、および、車速が所定車速以下であることのうち、少なくとも何れか一方が成立しているか否かを判定する。
【０１１４】
ブレーキペダルが踏み込まれているか否かの判定は、上記ブレーキペダルセンサ５３からのブレーキペダルポジション信号に基づいて行われる。この場合、ブレーキペダルの踏み込み量が所定量以上（車両の減速度が十分に発揮され、仮に変速段が変更されて駆動力の変化が生じても、乗員にはこの駆動力の変化が殆ど感じられない程度の量以上）である場合には、ステップＳＴ２５でＹＥＳ判定される。例えば、変速段がシフトアップ側に変更された場合の駆動力の変化量および変速段がシフトダウン側に変更された場合の駆動力の変化量それぞれ（例えば、変速段と車速とをパラメータとして、変速が行われた場合の駆動力の変化量が予め記憶されたマップ等から与えられる）と、現在のブレーキペダルの踏み込みによって生じている制動力とを対し、この制動力の方が各駆動力の変化量よりも大きい場合には、このステップＳＴ２５でＹＥＳ判定されることになる。
【０１１５】
また、車速が、エンジン２のクリープ現象により得られる車速（本発明でいう、「制動トルクに対して車両走行用の駆動力源の駆動力が大きくなる車速」に相当）程度まで低い場合にもステップＳＴ２５でＹＥＳ判定される。このクリープ現象により得られる車速とは、上記アクセルオフされたことにともなうエンジンブレーキによる負トルクよりもエンジン２のクリープトルクの方が大きくなるような車速であって、例えば図７における車速Ｖｃの範囲である。
【０１１６】
ステップＳＴ２５でＹＥＳ判定されるとステップＳＴ２６に進み、車速センサ５４の出力信号から現在の車速Ｖを求めるとともに、アクセル開度センサ５２の出力信号から現在のアクセル開度Ａｃｃを求め、それら車速Ｖおよびアクセル開度Ａｃｃを用いて、図４に示す要求駆動力設定マップを参照して要求駆動力を求める。また、この要求駆動力と上記車速ＶおよびアクセルＡｃｃとに基づいて図６に示す目標変速段設定マップを参照して推奨変速段（目標変速段）を求める。そして、その推奨変速段と現変速段とを比較し、推奨変速段と現変速段とが同じであるか否かを判定する。
【０１１７】
推奨変速段と現変速段とが同じであり（現変速段＝推奨変速段）、ステップＳＴ２６でＹＥＳ判定された場合には、ステップＳＴ２７に進み、上記変速指示装置によるシフト指示を非実施とする。
【０１１８】
なお、現変速段については、例えば、動力分割機構３の入力軸（プラネタリキャリア３ｄ）の回転速度（エンジン回転速度）と、リングギヤ軸３ｅの回転速度（車速センサ５４または出力軸回転速度の出力信号から認識）との比（変速比）を算出し、その算出した変速比から認識することができる。また、シフトポジションセンサ５０の出力信号に基づいて、シフトレバー９１をＳポジションに操作したときに設定される変速段（上記図３のフローチャートにおいてステップＳＴ７またはＳＴ８で設定された変速段）、または、Ｓポジションでの「＋」ポジションや「−」ポジションへの操作によって設定された変速段（上記図３のフローチャートにおいてステップＳＴ１０で設定された変速段）によって認識することも可能である。
【０１１９】
推奨変速段と現変速段とが一致しておらず、ステップＳＴ２６でＮＯ判定された場合には、ステップＳＴ２８に進む。ステップＳＴ２８では、現変速段が推奨変速段よりも低い変速段（現変速段＜推奨変速段）であるか否か判定する。その判定結果がＹＥＳである場合はステップＳＴ２９に進む。
【０１２０】
ステップＳＴ２９では、ハイブリッドＥＣＵ１０からＧＳＩ−ＥＣＵ１６に対してシフトアップ指令を実施するための制御信号を送信してシフトアップランプ６７を点灯する（図１０（ａ）参照）。そして、このようなシフトアップランプ６７の点灯によるシフトアップ指示（変速案内）に応じて、ドライバがシフトレバー９１を「＋」ポジションへ操作、または、シフトアップ用パドルスイッチ９ｃを操作すると、ハイブリッドシステムではシフトアップ動作が行われる。このシフトアップ動作により、現変速段と推奨変速段とが同じになった時点（ステップＳＴ２６の判定結果がＹＥＳになった時点）で、シフトアップランプ６７を消灯して、上記変速指示装置によるシフト指示を非実施とする（ステップＳＴ２７）。
【０１２１】
上記ステップＳＴ２６およびステップＳＴ２８の判定結果がともにＮＯである場合、つまり、現変速段が推奨変速段よりも高い変速段（現変速段＞推奨変速段）である場合はステップＳＴ３０に進む。
【０１２２】
ステップＳＴ３０では、ハイブリッドＥＣＵ１０からＧＳＩ−ＥＣＵ１６に対してシフトダウン指令を実施するための制御信号を送信してシフトダウンランプ６８を点灯する（図１０（ｂ）参照）。そして、このようなシフトアップランプ６７の点灯によるシフトアップ指示（変速案内）に応じて、ドライバがシフトレバー９１を「−」ポジションへ操作、または、シフトアップ用パドルスイッチ９ｄを操作すると、ハイブリッドシステムではシフトダウン動作が行われる。このシフトダウン動作により、現変速段と推奨変速段とが同じになった時点（ステップＳＴ２６の判定結果がＹＥＳになった時点）で、シフトダウンランプ６８を消灯して、上記変速指示装置によるシフト指示を非実施とする（ステップＳＴ２７）。
【０１２３】
一方、現在の走行モードが手動変速モードであって、ブレーキペダルの踏み込み操作が行われておらず且つ車速が所定車速を超えている場合には、ステップＳＴ２５でＮＯ判定され、ステップＳＴ３１に進む。このステップＳＴ３１では、現在の駆動力と、仮に変速を行った場合に、その変速後の駆動力とが一致していない（［現在の駆動力≠変速後の駆動力］である）か否かを判定する。
【０１２４】
ここで、上記現在の駆動力は、アクセル開度センサ５２により検出されたアクセル開度Ａｃｃと、車速センサ５４により検出された車速Ｖと、現在の変速段と、図６に示すマップとに基づいて抽出される。また、他の手法によって現在の駆動力を求めるようにしてもよい。
【０１２５】
一方、変速後の駆動力は、現在のアクセル開度Ａｃｃおよび車速Ｖが維持された状態で現在の変速段から１段だけ変速された変速段を図６に示すマップに当て嵌めることによって求められる。また、他の手法によって変速後の駆動力を求めるようにしてもよい。
【０１２６】
なお、この変速段を１段だけ変更する動作としては、シフトアップ側の変更とシフトダウン側との変更がある。これらについての詳細は後述する。
【０１２７】
ステップＳＴ３１において、現在の駆動力と変速後の駆動力とが一致しておらず、ステップＳＴ３１でＹＥＳ判定された場合には、ステップＳＴ２３に進んで、上記変速指示動作を非実行（シフト指示の非実行）とする。つまり、仮に変速指示を行い、それに従ってドライバが変速操作を行った場合には駆動力が変化してしまうとして、変速指示動作を非実行とし、駆動力が変化する変速操作を抑制するようにしている。
【０１２８】
一方、現在の駆動力と変速後の駆動力とが一致しており、ステップＳＴ３１でＮＯ判定された場合には、ステップＳＴ２６に進んで、上述した変速指示動作（ステップＳＴ２６〜ステップＳＴ３０の変速指示動作）が実施される。つまり、推奨変速段と現変速段とを比較し、推奨変速段と現変速段とが同じであるか否かを判定する。そして、推奨変速段と現変速段とが同じである場合には、シフト指示を非実施とする（ステップＳＴ２７）。一方、現変速段が推奨変速段よりも低い変速段である場合には、シフトアップ指示を行う（ステップＳＴ２９）。また、現変速段が推奨変速段よりも高い変速段である場合には、シフトダウン指示を行う（ステップＳＴ３０）。
【０１２９】
上述した如く、変速段を１段だけ変更する動作としては、シフトアップ側の変更とシフトダウン側との変更がある。つまり、変速後の駆動力としては、シフトアップされた場合の駆動力（以下、「推定シフトアップ側駆動力」という）、および、シフトダウンされた場合の駆動力（以下、「推定シフトダウン側駆動力」という）がある。
【０１３０】
上記ステップＳＴ３１の対比判定にあっては、これら推定シフトアップ側駆動力および推定シフトダウン側駆動力それぞれと、現在の駆動力とが対比される。
【０１３１】
現在の駆動力と推定シフトアップ側駆動力とを対比する場合、つまり、現在の駆動力と推定シフトアップ側駆動力が一致していないか否かを判定した場合に、これらが一致しておらず、ステップＳＴ３１でＹＥＳ判定された場合には、ステップＳＴ２３にあっては、少なくともシフトアップ側への変速指示動作（シフトアップランプ６７の点灯）を非実行とすることになる。
【０１３２】
一方、現在の駆動力と推定シフトアップ側駆動力とが一致しており、ステップＳＴ３１でＮＯ判定された場合には、ステップＳＴ２６〜ステップＳＴ３０の変速指示動作において、現変速段が推奨変速段よりも低い変速段である場合には、シフトアップ指示を行う（ステップＳＴ２９）。
【０１３３】
また、現在の駆動力と推定シフトダウン側駆動力とを対比する場合、つまり、現在の駆動力と推定シフトダウン側駆動力が一致していないか否かを判定した場合に、これらが一致しておらず、ステップＳＴ３１でＹＥＳ判定された場合には、ステップＳＴ２３にあっては、少なくともシフトダウン側への変速指示動作（シフトダウンランプ６８の点灯）を非実行とすることになる。
【０１３４】
一方、現在の駆動力と推定シフトダウン側駆動力とが一致しており、ステップＳＴ３１でＮＯ判定された場合には、ステップＳＴ２６〜ステップＳＴ３０の変速指示動作において、現変速段が推奨変速段よりも高い変速段である場合には、シフトダウン指示を行う（ステップＳＴ３０）。
【０１３５】
このように、ステップＳＴ３１における現在の駆動力と変速後の駆動力との対比動作にあっては、シフトアップされたと仮定した場合の対比動作と、シフトダウンされたと仮定した場合の対比動作とが並行して行われ、それぞれに対応して、シフトアップ指示の非実行または実行、および、シフトダウン指示の非実行または実行を行うようにしている。
【０１３６】
つまり、現在の駆動力と推定シフトアップ側駆動力とが一致しておらず、かつ、現在の駆動力と推定シフトダウン側駆動力とが一致していない場合には、シフトアップ側への変速指示動作およびシフトダウン側への変速指示動作を共に非実行とする。また、現在の駆動力と推定シフトアップ側駆動力とが一致しており、かつ、現在の駆動力と推定シフトダウン側駆動力とが一致している場合には、シフトアップ側への変速指示動作およびシフトダウン側への変速指示動作を共に許可する。
【０１３７】
上記実施形態では、現在の駆動力および変速後の駆動力をマップから読み出してそれぞれを対比するようにしていたが、以下のようにして、変速後の駆動力が変化するか否かを判定するようにしてもよい。
【０１３８】
つまり、図６を用いて説明したように、第１変速段（１ｓｔ）から第４変速段（４ｔｈ）の間では、Ｌｏｗギヤ段（変速比が大きいギヤ段）ほど、アクセルオフの状態で要求される駆動力としては低く（負の駆動力が大きく）設定されており、また、第４変速段（４ｔｈ）から第６変速段（６ｔｈ）の間では、アクセルオフの状態で要求される駆動力は互いに一致している。つまり、アクセルオフの状態において、第１変速段（１ｓｔ）から第４変速段（４ｔｈ）の間では、選択される変速段が変化する度に駆動力が変化するのに対し、第４変速段（４ｔｈ）から第６変速段（６ｔｈ）の間では、選択される変速段が変化しても駆動力は一定となる。このため、上記ステップＳＴ３１の判定としては以下のとおりとされる。
【０１３９】
すなわち、現在の変速段が第１変速段（１ｓｔ）から第３変速段（３ｒｄ）である場合には、シフトアップ側の変速操作およびシフトダウン側の変速操作のいずれにおいても、現在の駆動力と変速後の駆動力とが一致しないことになる。このため、この場合、シフトアップ側への変速指示動作（シフトアップランプ６７の点灯）は非実行とされ、また、シフトダウン側への変速指示動作（シフトダウンランプ６８の点灯）も非実行とされる。
【０１４０】
また、現在の変速段が第４変速段（４ｔｈ）である場合には、現在の駆動力と推定シフトアップ側駆動力とは一致するものの、現在の駆動力と推定シフトダウン側駆動力とは一致しないことになる。このため、この場合、シフトアップ側への変速指示動作（シフトアップランプ６７の点灯）は実行（許可）され、シフトダウン側への変速指示動作（シフトダウンランプ６８の点灯）は非実行とされる。
【０１４１】
また、現在の変速段が第５変速段（５ｔｈ）である場合には、現在の駆動力と推定シフトアップ側駆動力とは一致し、現在の駆動力と推定シフトダウン側駆動力とも一致することになる。このため、この場合、シフトアップ側への変速指示動作（シフトアップランプ６７の点灯）およびシフトダウン側への変速指示動作（シフトダウンランプ６８の点灯）はともに許可される（推奨変速段と現変速段との比較によりランプ点灯動作を行う）。
【０１４２】
さらに、現在の変速段が第６変速段（６ｔｈ）である場合には、現在の駆動力と推定シフトダウン側駆動力とが一致することになる。このため、この場合、シフトダウン側への変速指示動作（シフトダウンランプ６８の点灯）が実行（許可）される（推奨変速段と現変速段との比較によりランプ点灯動作を行う）。
【０１４３】
このように、本実施形態では、アクセルＯＦＦされた回生動作時に、手動変速モードであった場合には、ブレーキペダルの踏み込み操作がなされていないこと、および、車速が所定車速を超えていることを条件として、現在の駆動力と変速後の駆動力とが一致していない場合には上記変速指示装置によるシフト指示を非実施としている。このため、変速指示装置のシフトダウン指示に従ってシフトダウン操作を行った場合に、変速比が大きくなることに伴いエンジンの過回転を招いてしまったり、変速指示装置のシフトアップ指示に従ってシフトアップ操作を行った場合に、変速比が小さくなることに伴いエンジンブレーキによる制動力（負の駆動力）が小さくなることで減速感が変化してしまったりすることが回避される。その結果、変速指示装置の変速段変更指示に起因してドライバに違和感を与えてしまうといった状況を回避できる。
【０１４４】
本実施形態では、変速段の変更の前後における駆動力の変化量が一致する場合には、変速指示装置による変速段変更指示の非実行を解除（実行）するものとしていた。本発明は、これに限定されず、変速段の変更の前後における駆動力の変化量が所定量以下である場合に、変速指示装置による変速段変更指示の非実行を解除するものとしてもよい。
【０１４５】
（変形例１）
次に、変形例１について説明する。この変形例は、回生動作時であって手動変速モードである場合に、上記変速指示装置によるシフト指示を非実施とする条件が上記実施形態のものと異なっている。その他の構成および制御動作は上記実施形態のものと同様であるので、ここでは変速指示装置によるシフト指示を非実施とする条件についてのみ説明する。
【０１４６】
本変形例におけるシフト指示を非実施とする条件は、変速後の駆動力に所定のマージンを加算した値（以下、「比較対象駆動力」という）と現在の駆動力とを比較し、現在の駆動力が比較対象駆動力以上である場合に変速指示装置によるシフト指示を非実施とするようにしている。言い換えると、現在の駆動力が比較対象駆動力よりも小さい場合には、変速指示装置によるシフト指示の非実行を解除する（シフト指示を実施する）ようにしている。
【０１４７】
より具体的には、上記実施形態の図１１で示したフローチャートにおいて、ステップＳＴ２５でＮＯ判定された後、図１２に示すステップＳＴ４１の動作が実行される。つまり、現在の駆動力が比較対象駆動力（変速後の駆動力に所定のマージンを加算した値）よりも小さいか否かを判定する。
【０１４８】
そして、現在の駆動力が比較対象駆動力以上である場合には、ステップＳＴ４１でＮＯ判定され、ステップＳＴ２３において変速指示動作を非実行とすることになる。
【０１４９】
また、現在の駆動力が比較対象駆動力よりも小さい場合には、ステップＳＴ４１でＹＥＳ判定され、上述したステップＳＴ２６以降の動作に移る。
【０１５０】
以上の制御動作は、特に変速後の駆動力が小さくなる場合（シフトアップされる場合）に特化したものであり、ステップＳＴ４１でＮＯ判定された場合にはシフトアップ側への変速指示動作が非実行とされる。
【０１５１】
なお、上記マージンは、予め実験やシミュレーションによって適宜設定される。
【０１５２】
なお、この変形例では、変速後の駆動力に所定のマージンを加算した値（比較対象駆動力）と現在の駆動力とを比較し、現在の駆動力が比較対象駆動力以上である場合に変速指示装置によるシフト指示を非実施とするようにしていた。これに代えて、変速後の駆動力に所定のマージンを減算した値（比較対象駆動力）と現在の駆動力とを比較し、現在の駆動力が比較対象駆動力以上である場合に変速指示装置によるシフト指示を非実施とするようにしてもよい。
【０１５３】
この制御動作は、特に変速後の駆動力が大きくなる場合（シフトダウンされる場合）に特化したものであり、現在の駆動力が比較対象駆動力以上である場合にはシフトダウン側への変速指示動作が非実行とされる。
【０１５４】
（変形例２）
次に、変形例２について説明する。この変形例も、回生動作時であって手動変速モードである場合に、上記変速指示装置によるシフト指示を非実施とする条件が上記実施形態のものと異なっている。その他の構成および制御動作は上記実施形態のものと同様であるので、ここでも変速指示装置によるシフト指示を非実施とする条件についてのみ説明する。
【０１５５】
本変形例におけるシフト指示を非実施とする条件は、車速Ｖや変速段によって決定されるトルクが負トルクの運転領域である場合に変速指示装置によるシフト指示を非実施とするようにしている。
【０１５６】
より具体的には、上記実施形態の図１１で示したフローチャートにおいて、ステップＳＴ２５でＮＯ判定された後、図１３に示すステップＳＴ５１の動作が実行される。つまり、現在の運転領域が負トルクの運転領域であるか否かを判定する。
【０１５７】
そして、現在の運転領域が負トルクの運転領域である場合には、ステップＳＴ５１でＹＥＳ判定され、ステップＳＴ２３において変速指示動作を非実行とすることになる。
【０１５８】
また、現在の運転領域が負トルクの運転領域でない場合には、ステップＳＴ５１でＮＯ判定され、上述したステップＳＴ２６以降の動作に移る。
【０１５９】
ここで、現在の運転領域が負トルクの運転領域であるか否かの判定は、上記図７に示すエンジンブレーキの特性をマップ化し、このマップから求めることが可能である。つまり、車速Ｖおよび変速段に応じて、現在の運転領域が図７においてトルクが「０」以下となっている（エンジンブレーキトルクが発生している）負トルクの運転領域であるか否かを判定し、負トルクの運転領域である場合には変速指示動作を非実行とすることになる。
【０１６０】
これにより、特に駆動力の変化を乗員が認識しやすい負トルクの運転領域での変速を抑制することで、駆動力の変化にともなう乗員の違和感を防止できる。また、正トルクの運転領域では変速指示動作を実行（許可）しているため（本発明でいう、「トルク領域が正トルク領域である場合に、変速段の変更を運転者に促す動作の非実行を解除（実行）する」に相当）、この変速指示動作による効果（回生効率の向上等）を図ることができる。
【０１６１】
（変形例３）
次に、変形例３について説明する。この変形例は、変速段に応じて変速指示動作の非実行を解除（実行）するようにしたものである。具体的には、現在の変速段が推奨変速段よりもＨｉギヤ側（変速比が低い変速段側）である場合には、変速指示動作の非実行を解除し、シフトダウン指示を行うようにしている。
【０１６２】
より具体的には、上記実施形態の図１１で示したフローチャートにおいて、ステップＳＴ２５でＮＯ判定された後、図１４に示すステップＳＴ６１の動作が実行される。つまり、現在の変速段が上記推奨変速段よりもＨｉギヤ側（現在の変速段＞推奨変速段）であるか否かを判定する。そして、現在の変速段が推奨変速段よりもＨｉギヤ側である場合には、ステップ６１でＹＥＳ判定され、ステップＳＴ６２においてシフトダウン指示を行うことになる。
【０１６３】
これは、変速の前後での駆動力の変化が大きくなる可能性がある状況において、シフトダウンにともなうエンジン２の回転速度上昇を許容する一方、シフトアップに伴う減速感の変化に起因するドライバの違和感を回避することを目的とするものである。
【０１６４】
なお、現在の変速段が推奨変速段よりもＬｏｗギヤ側（現在の変速段＜推奨変速段）であるか否かを判定し、Ｌｏｗギヤ側である場合には、シフトアップ指示を行うようにしてもよい。
【０１６５】
これは、変速の前後での駆動力の変化が大きくなる可能性がある状況において、シフトアップに伴う減速感の変化を許容する一方、シフトダウンにともなうエンジン２の過回転を回避することを目的とするものである。
【０１６６】
本変形例の動作は、本発明でいう、「各変速段相互間での変更が行われた場合の駆動力の変化量を予め記憶しておき、現在選択されている変速段に対して駆動力の変化量が所定値以上となる変速段への変更を運転者に促す動作を非実行とする」に相当する。
【０１６７】
（変形例４）
次に、変形例４について説明する。上記実施形態では、アクセルＯＦＦされた回生動作時に、手動変速モードであった場合には、ブレーキペダルの踏み込み操作がなされていないこと、および、車速が所定車速を超えていることを条件として、現在の駆動力と変速後の駆動力とが一致していない場合には上記変速指示装置によるシフト指示を非実施としていた。本変形例は、これに代えて、アクセルＯＦＦされた回生動作時に、手動変速モードであった場合には、ブレーキペダルの踏み込み状態や車速に関わりなく上記変速指示装置によるシフト指示を非実施とするものである。
【０１６８】
図１５は、本変形例における変速指示制御の手順を示すフローチャートである。
【０１６９】
先ず、ステップＳＴ７１において、現在の走行モードが手動変速モードであるか否かを判定する。具体的に、この場合にもシフトレバー９１の位置をシフトポジションセンサ５０によって検出することにより判定する。つまり、検出されたシフトレバー９１の位置がＳポジションであるか否かを判定するようにしている。
【０１７０】
そして、現在の走行モードが手動変速モードであってステップＳＴ７１でＹＥＳ判定された場合には、ステップＳＴ７２に進み、アクセルペダルの踏み込み解除操作（アクセルＯＦＦ操作）が行われたか否かを判定する。アクセルＯＦＦ操作が行われておらず、ステップＳＴ７２でＮＯ判定された場合には、上述したステップＳＴ２６〜ステップＳＴ３０の変速指示動作が実施される。つまり、推奨変速段と現変速段とを比較し、推奨変速段と現変速段とが同じであるか否かを判定する。そして、推奨変速段と現変速段とが同じである場合には、シフト指示を非実施とする。つまり、シフトアップランプ６７およびシフトダウンランプ６８をともに非点灯とする。一方、現変速段が推奨変速段よりも低い変速段である場合には、ハイブリッドＥＣＵ１０からＧＳＩ−ＥＣＵ１６に対してシフトアップ指令を実施するための制御信号を送信してシフトアップランプ６７を点灯する（図１０（ａ）参照）。また、現変速段が推奨変速段よりも高い変速段である場合には、ハイブリッドＥＣＵ１０からＧＳＩ−ＥＣＵ１６に対してシフトダウン指令を実施するための制御信号を送信してシフトダウンランプ６８を点灯する（図１０（ｂ）参照）。
【０１７１】
一方、アクセルＯＦＦ操作が行われ、ステップＳＴ７２でＹＥＳ判定された場合には、ステップＳＴ７３に進み、上記変速指示動作は非実行（シフト指示の非実行）とされ、シフトアップランプ６７およびシフトダウンランプ６８をともに非点灯とする。
【０１７２】
（変形例５）
次に、変形例５について説明する。上記実施形態では、図６で示した目標変速段設定マップの如く、第４変速段（４ｔｈ）から第６変速段（６ｔｈ）の間では、アクセルオフの状態で要求される駆動力は互いに一致しているものとしていた。本発明はこれには限定されず、図１６に示す目標変速段設定マップのように、第１変速段（１ｓｔ）から第６変速段（６ｔｈ）の全ての変速段同士の間で、Ｌｏｗギヤ段（変速比が大きいギヤ段）ほど駆動力が低く（負の駆動力が大きく）設定されるようにしたものであってもよい。
【０１７３】
この場合、変速段の変更時には常に駆動力が変化することになるが、それぞれの変速段相互間での駆動力の変化量を、車速に基づいて算出し、この駆動力の変化量が所定量を超えるものに対してのみ変速指示を非実行とするようにする。また、車速に応じた変速段相互間での駆動力の変化量をテーブル化してＲＯＭ４１に記憶させておき、現在の車速および現在の変速段をテーブルに当て嵌めることで変速指示を非実行とするか否かを判断するようにしてもよい。
【０１７４】
なお、上述した実施形態および各変形例における変速指示の「非実行」および「実行」は、一律に非実行／実行を切り換えるわけではなく、他の要件でも非実行／実行は切り換わるものである。
【０１７５】
−他の実施形態−
以上説明した実施形態および各変形例では、ＦＦ（フロントエンジン・フロントドライブ）方式のハイブリッド車両の制御に本発明を適用した例を示したが、本発明はこれに限られることなく、ＦＲ（フロントエンジン・リアドライブ）方式のハイブリッド車両や、４輪駆動方式のハイブリッド車両の制御にも適用できる。
【０１７６】
また、上記実施形態および各変形例では、第１モータジェネレータＭＧ１および第２モータジェネレータＭＧ２の２つの発電電動機が搭載されたハイブリッド車両の制御に本発明を適用した例を示したが、１つの発電電動機が搭載されたハイブリッド車両や３つ以上の発電電動機が搭載されたハイブリッド車両の制御にも本発明は適用可能である。
【０１７７】
また、本発明は、シリーズハイブリッドシステムを搭載したハイブリッド車両に対しても適用可能である。さらには、変速システムとしては、レンジホールドタイプのもの（選択された変速段に対し、Ｌｏｗギヤ段側への自動変速が可能なもの）やギヤホールドタイプ（選択された変速段が維持されるもの）に対しても本発明は適用可能である。ここでいうレンジホールドタイプとは、シフトレバーがＳポジションにある場合に、ハイブリッドＥＣＵ１０が、現在の変速段を上限変速段とし、その上限変速段を最も高い側の変速段（最も低い側の変速比）とする制限変速段範囲内で自動変速を行うものである。例えば、手動変速モードにおける変速段が、第３変速段（３ｒｄ）である場合、その第３変速段を上限変速段とし、第３変速段（３ｒｄ）〜第１変速段（１ｓｔ）の間において自動変速が可能な状態となる。
【産業上の利用可能性】
【０１７８】
本発明は、シーケンシャルシフトモードを有する電気式無段変速機構を備えたハイブリッド車両において、ドライバに対して変速指示を行う変速指示装置に適用可能である。
【符号の説明】
【０１７９】
１              ハイブリッド車両
２              エンジン（駆動力源、内燃機関）
２ａ            クランクシャフト
３              動力分割機構
３ａ            サンギヤ
３ｂ            リングギヤ
３ｄ            プラネタリキャリア
３ｅ            リングギヤ軸（エンジンの出力軸）
６ａ，６ｂ      前輪（車輪、駆動輪）
７              リダクション機構
９              シフト操作装置
１０            ハイブリッドＥＣＵ
１６            ＧＳＩ−ＥＣＵ
６７            シフトアップランプ
６８            シフトダウンランプ
ＭＧ１          第１モータジェネレータ（第１の電動機）
ＭＧ２          第２モータジェネレータ（第２の電動機、発電機）
【図１】
0005854055.tif 000002
【図２】
0005854055.tif 000003
【図３】
0005854055.tif 000004
【図４】
0005854055.tif 000005
【図５】
0005854055.tif 000006
【図６】
0005854055.tif 000007
【図７】
0005854055.tif 000008
【図８】
0005854055.tif 000009
【図９】
0005854055.tif 000010
【図１０】
0005854055.tif 000011
【図１１】
0005854055.tif 000012
【図１２】
0005854055.tif 000013
【図１３】
0005854055.tif 000014
【図１４】
0005854055.tif 000015
【図１５】
0005854055.tif 000016
【図１６】
0005854055.tif 000017